(57)【要約】【課題】本発明は、表示形態を変更する際の視認性を向上させることが可能な表示制御装置、表示制御方法、および表示制御システムを提供することを目的とする。【解決手段】本発明による表示制御装置１は、自車両の走行に関する計測情報を示す第１の計測描画オブジェクトと第２の計測描画オブジェクトとを生成する計測描画オブジェクト生成部２と、情報画像を生成する情報画像生成部３と、第１の表示形態、第２の表示形態、中間表示形態のうちのいずれかの表示形態となるように計測描画オブジェクト生成部２および情報画像生成部３を制御する全体制御部４とを備え、全体制御部４は、中間表示形態において、第１の計測描画オブジェクト、第２の計測描画オブジェクト、および情報画像のうちの少なくとも１つの立体表示空間または擬似立体表示空間における奥行きを変更するように計測描画オブジェクト生成部２および情報画像生成部３を制御することを特徴とする。【選択図】図１
2015161930.tif 000002
【特許請求の範囲】
【請求項１】
自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する計測描画オブジェクト生成部と、
前記計測情報以外の情報を示す情報画像を生成する情報画像生成部と、
前記第１の計測描画オブジェクトを表示する第１の表示形態と、前記第１の計測描画オブジェクト、前記第２の計測描画オブジェクト、および前記情報画像のうちの少なくとも１つを表示する第２の表示形態と、前記第１の表示形態と前記第２の表示形態との間における遷移中の形態である中間表示形態とのうちのいずれかの表示形態となるように前記計測描画オブジェクト生成部および前記情報画像生成部を制御する制御部と、
を備え、
前記制御部は、前記中間表示形態において、前記第１の計測描画オブジェクト、前記第２の計測描画オブジェクト、および前記情報画像のうちの少なくとも１つの立体表示空間または擬似立体表示空間における奥行きを変更するように前記計測描画オブジェクト生成部および前記情報画像生成部を制御することを特徴とする、表示制御装置。
【請求項２】
前記情報画像生成部にて生成された前記情報画像と、前記計測描画オブジェクト生成部にて生成された前記第１の計測描画オブジェクトおよび前記第２の計測描画オブジェクトのうちの少なくとも１つとを合成する画像合成部をさらに備えることを特徴とする、請求項１に記載の表示制御装置。
【請求項３】
前記制御部は、前記中間表示形態において、前記第１の計測描画オブジェクトを前記立体表示空間または前記擬似立体表示空間における手前側から奥側の端部に向かって縮小しながら移動させ、前記第１の計測描画オブジェクトが予め定められた位置に到達したときに前記情報画像を前記奥側に表示させるように前記計測描画オブジェクト生成部および前記情報画像生成部を制御することを特徴とする、請求項１または２に記載の表示制御装置。
【請求項４】
前記制御部は、前記中間表示形態において、前記第１の計測描画オブジェクトを前記立体表示空間または前記擬似立体表示空間における手前側から奥側の端部に向かって縮小しながら移動させるとともに、前記情報画像を前記奥側から前記手前側に向かって移動させるように前記計測描画オブジェクト生成部および前記情報画像生成部を制御することを特徴とする、請求項１または２に記載の表示制御装置。
【請求項５】
前記制御部は、前記情報画像の移動に応じて前記情報画像のぼかしを弱くするように前記情報画像生成部を制御することを特徴とする、請求項４に記載の表示制御装置。
【請求項６】
前記制御部は、前記中間表示形態において、前記立体表示空間または前記擬似立体表示空間における手前側に位置する前記第１の計測描画オブジェクトと同じ位置に前記第２の計測描画オブジェクトを表示させた後、前記第１の計測描画オブジェクトを前記手前側から奥側に向かって移動させ、前記第１の計測描画オブジェクトが予め定められた位置に到達したときに、前記第１の計測描画オブジェクトを消去するとともに、前記情報画像を前記奥側に表示させるように前記計測描画オブジェクト生成部および前記情報画像生成部を制御することを特徴とする、請求項１または２に記載の表示制御装置。
【請求項７】
前記制御部は、前記第１の計測描画オブジェクトの移動に応じて前記第１の計測描画オブジェクトのぼかしを強くするように前記計測描画オブジェクト生成部を制御することを特徴とする、請求項６に記載の表示制御装置。
【請求項８】
前記制御部は、前記中間表示形態において、前記第１の計測描画オブジェクトを前記立体表示空間または前記擬似立体表示空間における手前側から奥側に向かって移動させ、前記第１の計測描画オブジェクトが予め定められた位置に到達したときに、前記第１の計測描画オブジェクトを消去するとともに前記第２の計測描画オブジェクトおよび前記情報画像を前記奥側に表示させた後、前記第２の計測描画オブジェクトを前記手前側に向かって移動させるように前記計測描画オブジェクト生成部および前記情報画像生成部を制御することを特徴とする、請求項１または２に記載の表示制御装置。
【請求項９】
前記制御部は、前記第１の計測描画オブジェクトの移動に応じて前記第１の計測描画オブジェクトのぼかしを強くするように、かつ前記第２の計測描画オブジェクトの移動に応じて前記第２の計測描画オブジェクトのぼかしを弱くするように前記計測描画オブジェクト生成部を制御することを特徴とする、請求項８に記載の表示制御装置。
【請求項１０】
前記制御部は、前記中間表示形態において、前記計測情報に基づいて前記自車両の速度が速くなるに従って、前記第１の計測描画オブジェクト、前記第２の計測描画オブジェクト、および前記情報画像のうちの少なくとも１つを前記立体表示空間または前記擬似立体表示空間における手前側から奥側に向かって移動させるように前記計測描画オブジェクト生成部および前記情報画像生成部を制御することを特徴とする、請求項２に記載の表示制御装置。
【請求項１１】
自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する計測描画オブジェクト生成部と、
前記計測情報以外の情報を示す情報画像を生成する情報画像生成部と、
前記第１の計測描画オブジェクトを表示する第１の表示形態、前記第２の計測描画オブジェクトおよび前記情報画像のうちの少なくとも１つを表示する第２の表示形態、および前記第１の表示形態と前記第２の表示形態との間における遷移中の形態である中間表示形態のうちのいずれかの表示形態となるように前記計測描画オブジェクト生成部および前記情報画像生成部を制御する制御部と、
を備え、
前記第１の計測描画オブジェクトと前記第２の計測描画オブジェクトおよび前記情報画像とのデータ処理上の立体表示空間における位置は異なり、
前記制御部は、前記データ処理上の立体表示空間において、予め定められた視点、視野角、および焦点距離に基づく基準面の前記データ処理上の立体表示空間における奥行きを前記中間表示形態において変更し、前記基準面の前記データ処理上の立体表示空間における位置に応じた前記視点から見た画像を生成するように前記計測描画オブジェクト生成部および前記情報画像生成部を制御することを特徴とする、表示制御装置。
【請求項１２】
自車両の走行に関する計測情報を示す複数の計測描画オブジェクトを生成する計測描画オブジェクト生成部と、
各前記計測描画オブジェクトを表示する第１の表示形態、前記第１の表示形態とは異なる表示形態である第２の表示形態、および前記第１の表示形態と前記第２の表示形態との間における遷移中の形態である中間表示形態のうちのいずれかの表示形態となるように前記計測描画オブジェクト生成部を制御する制御部と、
を備え、
前記制御部は、前記中間表示形態において、前記計測情報に基づいて前記自車両の速度が速くなるに従って、各前記計測描画オブジェクトを表示領域の中央に寄せるか、または一部を重ねるように前記計測描画オブジェクト生成部を制御することを特徴とする、表示制御装置。
【請求項１３】
（ａ）自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する工程と、
（ｂ）前記計測情報以外の情報を示す情報画像を生成する工程と、
（ｃ）前記第１の計測描画オブジェクトを表示する第１の表示形態と、前記第１の計測描画オブジェクト、前記第２の計測描画オブジェクト、および前記情報画像のうちの少なくとも１つを表示する第２の表示形態と、前記第１の表示形態と前記第２の表示形態との間における遷移中の形態である中間表示形態とのうちのいずれかの表示形態となるように前記工程（ａ）および前記工程（ｂ）を制御する工程と、
を備え、
前記工程（ｃ）は、前記中間表示形態において、前記第１の計測描画オブジェクト、前記第２の計測描画オブジェクト、および前記情報画像のうちの少なくとも１つの立体表示空間または擬似立体表示空間における奥行きを変更するように前記工程（ａ）および前記工程（ｂ）を制御することを特徴とする、表示制御方法。
【請求項１４】
表示装置と、当該表示装置に画像を表示するように制御する表示制御装置とを備える表示制御システムであって、
前記表示制御装置は、
自車両の走行に関する計測情報を示す第１の計測描画オブジェクトと、前記第１の計測描画オブジェクトと同一の前記計測情報であって、前記第１の計測描画オブジェクトとは異なる表現形式の第２の計測描画オブジェクトとを生成する計測描画オブジェクト生成部と、
前記計測情報以外の情報を示す情報画像を生成する情報画像生成部と、
前記第１の計測描画オブジェクトを表示する第１の表示形態と、前記第１の計測描画オブジェクト、前記第２の計測描画オブジェクト、および前記情報画像のうちの少なくとも１つを表示する第２の表示形態と、前記第１の表示形態と前記第２の表示形態との間における遷移中の形態である中間表示形態とのうちのいずれかの表示形態となるように前記計測描画オブジェクト生成部および前記情報画像生成部を制御する制御部と、
を備え、
前記制御部は、前記中間表示形態において、前記第１の計測描画オブジェクト、前記第２の計測描画オブジェクト、および前記情報画像のうちの少なくとも１つの立体表示空間または擬似立体表示空間における奥行きを変更するように前記計測描画オブジェクト生成部および前記情報画像生成部を制御することを特徴とする、表示制御システム。
【発明の詳細な説明】
【技術分野】
【０００１】
本発明は、車載の表示装置に対する情報の表示制御を行う表示制御装置、表示制御方法、および表示制御システムに関する。
【背景技術】
【０００２】
車両のインストルメントパネル部に設けられたメータパネルの表示画面に対して、例えば、カメラで撮影した映像やナビゲーション画面を表示する表示装置が知られている。このような表示装置では、通常は、自車両の走行に関する情報（例えば、速度情報など）をアナログメータで表示しているが、映像やナビゲーション画面を表示する際には、当該映像やナビゲーション画面の表示領域を確保するために、アナログメータよりも表示領域が小さいデジタルメータに表示形態を変更している。
【０００３】
しかし、上記の表示装置では、アナログメータからデジタルメータに突然表示形態を変更するため、当該変更を運転者が瞬時に認知するのが難しいという問題があった。
【０００４】
このような問題の対策として、従来では、アナログメータからデジタルメータに表示形態を変更する際の中間表示形態として、アナログメータとデジタルメータとを混在させて表示する技術が開示されている（例えば、特許文献１〜３参照）。
【先行技術文献】
【特許文献】
【０００５】
【特許文献１】特許第４４４２６７２号公報
【特許文献２】特開２０１０−３０３３０号公報
【特許文献３】特開２００８−２６７８８０号公報
【発明の概要】
【発明が解決しようとする課題】
【０００６】
特許文献１〜３では、中間表示形態でアナログメータとデジタルメータとを近接して混在させることによって、アナログメータとデジタルメータとの対応付けを行っているが、２つの異なる表現形式のメータが近接して混在すると、運転者にとってはかえって視認性が悪くなるという問題があった。すなわち、従来では、表示形態を変更する際の視認性を向上させているとはいえなかった。
【０００７】
本発明は、これらの問題を解決するためになされたものであり、表示形態を変更する際の視認性を向上させることが可能な表示制御装置、表示制御方法、および表示制御システムを提供することを目的とする。
【課題を解決するための手段】
【０００８】
上記の課題を解決するために、本発明による表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、計測情報以外の情報を示す情報画像を生成する情報画像生成部と、第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように計測描画オブジェクト生成部および情報画像生成部を制御する制御部とを備え、制御部は、中間表示形態において、第１の計測描画オブジェクト、第２の計測描画オブジェクト、および情報画像のうちの少なくとも１つの立体表示空間または擬似立体表示空間における奥行きを変更するように計測描画オブジェクト生成部および情報画像生成部を制御することを特徴とする。
【０００９】
また、本発明による表示制御方法は、（ａ）自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する工程と、（ｂ）計測情報以外の情報を示す情報画像を生成する工程と、（ｃ）第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように工程（ａ）および工程（ｂ）を制御する工程とを備え、工程（ｃ）は、中間表示形態において、第１の計測描画オブジェクト、第２の計測描画オブジェクト、および情報画像のうちの少なくとも１つの立体表示空間または擬似立体表示空間における奥行きを変更するように工程（ａ）および工程（ｂ）を制御することを特徴とする。
【００１０】
また、本発明による表示制御システムは、表示装置と、当該表示装置に画像を表示するように制御する表示制御装置とを備える表示制御システムであって、表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、計測情報以外の情報を示す情報画像を生成する情報画像生成部と、第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように計測描画オブジェクト生成部および情報画像生成部を制御する制御部とを備え、制御部は、中間表示形態において、第１の計測描画オブジェクト、第２の計測描画オブジェクト、および情報画像のうちの少なくとも１つの立体表示空間または擬似立体表示空間における奥行きを変更するように計測描画オブジェクト生成部および情報画像生成部を制御することを特徴とする。
【発明の効果】
【００１１】
本発明によると、表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、計測情報以外の情報を示す情報画像を生成する情報画像生成部と、第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように計測描画オブジェクト生成部および情報画像生成部を制御する制御部とを備え、制御部は、中間表示形態において、第１の計測描画オブジェクト、第２の計測描画オブジェクト、および情報画像のうちの少なくとも１つの立体表示空間または擬似立体表示空間における奥行きを変更するように計測描画オブジェクト生成部および情報画像生成部を制御するため、表示形態を変更する際の視認性を向上させることが可能となる。
【００１２】
また、表示制御方法は、（ａ）自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する工程と、（ｂ）計測情報以外の情報を示す情報画像を生成する工程と、（ｃ）第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように工程（ａ）および工程（ｂ）を制御する工程とを備え、工程（ｃ）は、中間表示形態において、第１の計測描画オブジェクト、第２の計測描画オブジェクト、および情報画像のうちの少なくとも１つの立体表示空間または擬似立体表示空間における奥行きを変更するように工程（ａ）および工程（ｂ）を制御するため、表示形態を変更する際の視認性を向上させることが可能となる。
【００１３】
また、表示制御システムは、表示装置と、当該表示装置に画像を表示するように制御する表示制御装置とを備える表示制御システムであって、表示制御装置は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する計測描画オブジェクト生成部と、計測情報以外の情報を示す情報画像を生成する情報画像生成部と、第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように計測描画オブジェクト生成部および情報画像生成部を制御する制御部とを備え、制御部は、中間表示形態において、第１の計測描画オブジェクト、第２の計測描画オブジェクト、および情報画像のうちの少なくとも１つの立体表示空間または擬似立体表示空間における奥行きを変更するように計測描画オブジェクト生成部および情報画像生成部を制御するため、表示形態を変更する際の視認性を向上させることが可能となる。
【図面の簡単な説明】
【００１４】
【図１】本発明の実施の形態１による表示制御装置の構成の一例を示すブロック図である。
【図２】本発明の実施の形態１による表示制御装置の他の構成の一例を示すブロック図である。
【図３】本発明の実施の形態１による表示制御装置の動作の一例を示すフローチャートである。
【図４】本発明の実施の形態１による表示制御装置の動作の一例を示すフローチャートである。
【図５】本発明の実施の形態１による表示制御装置の表示の一例を示す図である。
【図６】本発明の実施の形態１による表示制御装置の表示の一例を示す図である。
【図７】本発明の実施の形態１による表示制御装置の表示の一例を示す図である。
【図８】本発明の実施の形態１による表示制御装置の表示の一例を示す図である。
【図９】本発明の実施の形態１による表示制御装置の表示の一例を示す図である。
【図１０】本発明の実施の形態１による表示制御装置の表示の一例を示す図である。
【図１１】本発明の実施の形態１による表示制御装置の表示の一例を示す図である。
【図１２】本発明の実施の形態１による表示制御装置の表示の一例を示す図である。
【図１３】本発明の実施の形態１による表示制御装置の表示の一例を示す図である。
【図１４】本発明の実施の形態１による表示制御装置の表示の一例を示す図である。
【図１５】本発明の実施の形態１による表示制御装置の表示の一例を示す図である。
【図１６】本発明の実施の形態１による表示制御装置の表示の一例を示す図である。
【図１７】本発明の実施の形態１による表示制御装置の表示の一例を示す図である。
【図１８】本発明の実施の形態１による表示制御装置の表示の一例を示す図である。
【図１９】本発明の実施の形態１による表示制御装置の表示の一例を示す図である。
【図２０】本発明の実施の形態１による表示制御装置の表示の一例を示す図である。
【図２１】本発明の実施の形態１による表示制御装置の表示の一例を示す図である。
【図２２】本発明の実施の形態１による表示制御装置の表示の一例を示す図である。
【図２３】本発明の実施の形態１による表示制御装置の表示の一例を示す図である。
【図２４】本発明の実施の形態１による表示制御装置の表示の一例を示す図である。
【図２５】本発明の実施の形態１による表示制御装置の表示の一例を示す図である。
【図２６】本発明の実施の形態１による表示制御装置の表示の一例を示す図である。
【図２７】本発明の実施の形態１による表示制御装置の表示の一例を示す図である。
【図２８】本発明の実施の形態１による表示制御装置の表示の一例を示す図である。
【図２９】本発明の実施の形態１による表示制御装置の表示の一例を示す図である。
【図３０】本発明の実施の形態１による表示制御装置の表示の一例を示す図である。
【図３１】本発明の実施の形態１による表示制御装置の表示の一例を示す図である。
【図３２】本発明の実施の形態１による表示制御装置の表示の一例を示す図である。
【図３３】本発明の実施の形態１による表示制御装置の表示の一例を示す図である。
【図３４】本発明の実施の形態１による表示制御装置の表示の一例を示す図である。
【図３５】本発明の実施の形態１による表示制御装置の表示の一例を示す図である。
【図３６】本発明の実施の形態１による表示制御装置の表示の一例を示す図である。
【図３７】本発明の実施の形態１による表示制御装置の表示の一例を示す図である。
【図３８】本発明の実施の形態１による表示制御装置の表示の一例を示す図である。
【図３９】本発明の実施の形態２による表示制御装置の表示の一例を示す図である。
【図４０】本発明の実施の形態２による表示制御装置の表示の一例を示す図である。
【図４１】本発明の実施の形態２による表示制御装置の表示の一例を示す図である。
【図４２】本発明の実施の形態２による表示制御装置の表示の一例を示す図である。
【図４３】本発明の実施の形態３による表示制御装置の表示の一例を示す図である。
【図４４】本発明の実施の形態３による表示制御装置の表示の一例を示す図である。
【図４５】本発明の実施の形態３による表示制御装置の表示の一例を示す図である。
【図４６】本発明の実施の形態による表示制御システムの構成の一例を示すブロック図である。
【図４７】裸眼立体表示を説明するための図である。
【発明を実施するための形態】
【００１５】
本発明の実施の形態について、図面に基づいて以下に説明する。
【００１６】
＜実施の形態１＞
まず、本発明の実施の形態による表示制御装置の構成について説明する。
【００１７】
図１は、本実施の形態による表示制御装置１の構成の一例を示すブロック図である。なお、図１では、表示制御装置１を構成する必要最小限の構成要素を示している。
【００１８】
図１に示すように、表示制御装置１は、少なくとも計測描画オブジェクト生成部２と、情報画像生成部３と、全体制御部４とを備えている。
【００１９】
計測描画オブジェクト生成部２は、自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する。
【００２０】
情報画像生成部３は、計測情報以外の情報を示す情報画像を生成する。
【００２１】
全体制御部４は、第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように計測描画オブジェクト生成部２および情報画像生成部３を制御する。
【００２２】
また、全体制御部４は、中間表示形態において、第１の計測描画オブジェクト、第２の計測描画オブジェクト、および情報画像のうちの少なくとも１つの立体表示空間または擬似立体表示空間における奥行きを変更するように計測描画オブジェクト生成部２および情報画像生成部３を制御する。立体表示空間および擬似立体表示空間の詳細については、後述する。
【００２３】
次に、上記の計測描画オブジェクト生成部２、情報画像生成部３、および全体制御部４を含む表示制御装置１の他の構成について説明する。
【００２４】
なお、本実施の形態１において、自車両は、少なくとも表示制御装置１が表示制御の対象としている表示部を備えているものとする。すなわち、表示制御装置１は、自車両内に搭載されていてもよく、自車両外に設けられていてもよい。
【００２５】
また、表示部は、裸眼立体表示機能および平面表示機能を有しているものとする。ここで、裸眼立体表示機能とは、ユーザが裸眼で表示部を見たときに画像が立体的に表示されている（すなわち、立体表示空間において奥行き（視覚的な距離感）を感じる）ように認識させる機能のことをいう。また、平面表示機能とは、ユーザが表示部を見たときに画像が平面的に表示されているように認識させる機能のことをいう。
【００２６】
具体的には、例えば図４７（特開２００５−１７５５６６号公報の図８に対応）に示すように、画像表示部は、右目用画像が右目に到達するように指向性を持たせた右目用液晶素子群と、左目用画像が左目に到達するように指向性を持たせた左目用液晶素子群とを有し、Ｌ、Ｒ、Ｌ、Ｒと順番に入力される画像信号が、右目用液晶素子群および左目用液晶素子群の各々から交互に出力されて立体画像が得られる。また、平面表示を行う場合は、右目用画像あるいは左目用画像のいずれかを出力する。
【００２７】
図２は、本発明の実施の形態１による表示制御装置１の他の構成の一例を示すブロック図である。
【００２８】
図２に示すように、表示制御装置１は、計測描画オブジェクト生成部２と、情報画像生成部３と、全体制御部４と、画像合成部５と、表示信号出力部６と、車両情報取得部７と、映像入力部８とを備えている。また、全体制御部４は操作入力部９に接続され、表示信号出力部６は表示部１０に接続され、映像入力部８はカメラ１９に接続されている。
【００２９】
計測描画オブジェクト生成部２は、車両情報取得部７が取得した計測情報に基づいて、第１の計測描画オブジェクトであるアナログメータと、第２の計測描画オブジェクトであるデジタルメータとを生成する。具体的には、右目用画像としてのアナログメータおよびデジタルメータ、および左目用画像としてのアナログメータおよびデジタルメータをそれぞれ生成する。
【００３０】
なお、計測情報に基づいて生成されるアナログメータおよびデジタルメータとしては、例えば、速度メータ、タコメータ、燃料計、水温計などが挙げられる。
【００３１】
車両情報取得部７は、車内ＬＡＮ（Local Area Network）を介して、自車両の走行に関する計測情報を含む種々の車両情報を取得する。
【００３２】
ここで、計測情報としては、例えば、速度に関する情報、車軸の回転数に関する情報、燃料に関する情報、あるいはエンジンの冷却水の温度に関する情報などが挙げられる。なお、これらの情報に限らず、自車両の走行時に計測される情報であればよい。
【００３３】
情報画像生成部３は、映像入力部８に入力された映像に基づいて情報画像を生成する。具体的には、右目用画像および左目用画像としての情報画像をそれぞれ生成する。
【００３４】
ここで、情報画像とは、自車両の走行に関する計測情報以外の情報を示す画像である。
【００３５】
映像入力部８は、カメラ１９によって撮影された映像を入力する。
【００３６】
カメラ１９は、自車両周辺を撮影する。例えば、自車両の前方を撮影するカメラであってもよく、自車両の後方を撮影するカメラであってもよい。
【００３７】
画像合成部５は、情報画像生成部３にて生成された情報画像と、計測描画オブジェクト生成部２にて生成されたアナログメータおよびデジタルメータのうちの少なくとも１つとを合成する。具体的には、計測描画オブジェクト生成部２にて生成された右目用画像であるアナログメータおよびデジタルメータのうちの少なくとも１つと、情報画像生成部３にて生成された右目用画像である情報画像とを合成する。左目用画像についても同様である。
【００３８】
全体制御部４は、中間表示形態において、アナログメータ、デジタルメータ、および情報画像のうちの少なくとも１つの立体表示空間または擬似立体表示空間における奥行きを変更するように計測描画オブジェクト生成部２および情報画像生成部３を制御する。
【００３９】
表示信号出力部６は、画像合成部５にて合成された画像を表示信号として表示部１０に出力する。
【００４０】
表示部１０は、表示信号出力部６から入力された表示信号に基づいて、画像合成部５にて合成された画像を表示する。なお、表示部１０は、車両のインストルメントパネル部に設けられたメータパネルであってもよく、ＨＵＤ（Head-Up Display）であってもよい。
【００４１】
また、表示部１０は、上述の通り、裸眼立体表示機能および平面表示機能を有する。
【００４２】
操作入力部９は、例えば、タッチパネルや機械的なスイッチなど、ユーザの操作を入力するものであればよい。
【００４３】
次に、表示制御装置１の動作について説明する。特に、アナログメータを表示する第１の表示形態から、アナログメータ、デジタルメータ、および情報画像のうちの少なくとも１つを表示する第２の表示形態に変更する場合について説明する。なお、以下では、表示部１０はメータパネルであり、アナログメータおよびデジタルメータは速度メータであるものとする。
【００４４】
図３は、表示制御装置１の動作の一例を示すフローチャートである。
【００４５】
ステップＳ１１において、全体制御部４は、表示部１０がアナログメータを表示する第１の表示形態となるように計測描画オブジェクト生成部２を制御する。
【００４６】
計測描画オブジェクト生成部２は、車両情報取得部７から取得した計測情報に基づいてアナログメータを生成する。一方、情報画像生成部３は、予め定められた画像を生成する。ここで、予め定められた画像とは、表示部１０の表示領域内における予め定められた領域を、例えば予め定められた色で表示する、アナログメータの背景となる画像である。
【００４７】
画像合成部５は、計測描画オブジェクト生成部２にて生成されたアナログメータと、情報画像生成部３にて生成された予め定められた画像とを合成する。
【００４８】
ステップＳ１２において、全体制御部４は、情報表示の指示があるか否かを判断する。指示がある場合はステップＳ１３に移行する。一方、指示がない場合は処理を終了する（すなわち、表示部１０には、ステップＳ１１にて生成されたアナログメータが表示された状態となる）。
【００４９】
具体的には、全体制御部４は、例えば、操作入力部９を介してユーザからカメラ１９によって撮影された映像を情報画像として表示部１０に表示させる旨の指示があるか否かを判断する。なお、全体制御部４は、車両情報取得部７から自車両がバック（後進）する旨の情報を得たとき、情報表示の指示があると判断してもよい。この場合、表示部１０には、カメラ１９によって自車両後方を撮影した映像が表示されるようにしてもよい。
【００５０】
ステップＳ１３において、全体制御部４は、表示部１０がアナログメータ、デジタルメータ、および情報画像のうちの少なくとも１つを表示する中間表示形態となるように計測描画オブジェクト生成部２および情報画像生成部３を制御する。また、全体制御部４は、中間表示形態において、アナログメータ、デジタルメータ、および情報画像のうちの少なくとも１つの立体表示空間または擬似立体表示空間における奥行きを変更するように計測描画オブジェクト生成部２および情報画像生成部３を制御する。
【００５１】
ステップＳ１４において、全体制御部４は、表示部１０がアナログメータ、デジタルメータ、および情報画像のうちの少なくとも１つを表示する第２の表示形態となるように計測描画オブジェクト生成部２および情報画像生成部３を制御する。その後、処理を終了する。
【００５２】
次に、アナログメータ、デジタルメータ、および情報画像のうちの少なくとも１つを表示する第２の表示形態からアナログメータを表示する第１の表示形態に表示形態を変更する場合について説明する。
【００５３】
図４は、表示制御装置１の動作の一例を示すフローチャートである。
【００５４】
ステップＳ２１において、全体制御部４は、表示部１０がアナログメータ、デジタルメータ、および情報画像のうちの少なくとも１つを表示する第２の表示形態となるように計測描画オブジェクト生成部２および情報画像生成部３を制御する。
【００５５】
ステップＳ２２において、全体制御部４は、情報非表示の指示があるか否かを判断する。指示がある場合はステップＳ２３に移行する。一方、指示がない場合は処理を終了する。
【００５６】
具体的には、全体制御部４は、例えば、操作入力部９を介してユーザからカメラ１９によって撮影された映像を情報画像として表示部１０に表示させない旨の指示があるか否かを判断する。なお、ユーザによる操作に限らず、他の方法でカメラ１９によって撮影された映像を表示部１０に表示させない旨の指示があるか否かを判断してもよい。また、情報画像に限らず、他の情報を表示部１０に表示させない旨の指示があるか否かを判断してもよい。
【００５７】
ステップＳ２３において、全体制御部４は、表示部１０がアナログメータ、デジタルメータ、および情報画像のうちの少なくとも１つを表示する中間表示形態となるように計測描画オブジェクト生成部２および情報画像生成部３を制御する。また、全体制御部４は、中間表示形態において、アナログメータ、デジタルメータ、および情報画像のうちの少なくとも１つの立体表示空間または擬似立体表示空間における奥行きを変更するように計測描画オブジェクト生成部２および情報画像生成部３を制御する。
【００５８】
ステップＳ２４において、全体制御部４は、表示部１０がアナログメータを表示する第１の表示形態となるように計測描画オブジェクト生成部２を制御する。
【００５９】
計測描画オブジェクト生成部２は、車両情報取得部７から取得した計測情報に基づいてアナログメータを生成する。一方、情報画像生成部３は、予め定められた画像を生成する。ここで、予め定められた画像とは、表示部１０の表示領域内における予め定められた領域を、例えば予め定められた色で表示する、アナログメータの背景となる画像である。
【００６０】
画像合成部５は、計測描画オブジェクト生成部２にて生成されたアナログメータと、情報画像生成部３にて生成された予め定められた画像とを合成する。表示部１０には、矩形の予め定められた色表示よりなる予め定められた画像を背景として、アナログメータが表示される。その後、処理を終了する。
【００６１】
次に、中間表示形態の具体例、特に第１の表示形態から第２の表示形態に表示形態を変更する場合における中間表示形態（図３のステップＳ１３における処理）について説明する。なお、表示部１０は裸眼立体表示を行うものとする。
【００６２】
図５〜８は、中間表示形態における表示部１０の表示の一例を時系列で示した図である。なお、図５（ａ），図６（ａ），図７（ａ），図８（ａ）は、表示部１０を正面から見た場合を示している。また、図５（ｂ），図６（ｂ），図７（ｂ），図８（ｂ）は、表示部１０の表示を立体表示空間における横方向から見た場合を示している。すなわち、図５（ｂ），図６（ｂ），図７（ｂ），図８（ｂ）において、図面の上側は表示部１０を見ているユーザ側を示し、図面の下方向は立体表示空間における奥行きを示している。
【００６３】
図５において、中間表示形態の処理が開始時において、表示部１０には、基準面１３から距離Ｚ１だけ離れた位置にアナログメータ１１，１２が表示される。すなわち、アナログメータ１１，１２は立体表示空間において基準面１３よりも手前側（ユーザ側）に表示されており、ユーザはアナログメータ１１，１２が浮き上がって表示されているような感覚で見ることができる。
【００６４】
なお、中間表示形態の開始前の表示形態である第１の表示形態では、表示部１０には図５と同様の表示を行っているものとする。
【００６５】
ここで、基準面１３とは、アナログメータ１１，１２の立体表示空間における絶対的な奥行きを示すために、便宜上設けられたものである。また、距離Ｚ１とは、中間表示形態の処理が開始されたときにおける、基準面１３とアナログメータ１１，１２との仮想的な距離を示している。
【００６６】
図６において、アナログメータ１１，１２は、図５よりも基準面１３側（立体表示空間における奥側）に移動するとともに、図５よりも縮小し、かつ表示部１０の端部に向かって移動している。
【００６７】
なお、図６（ｂ）の破線で示される矩形は、前の段階（ここでは図５）におけるアナログメータ１１，１２の位置を示している（以下、同様）。
【００６８】
図７において、アナログメータ１１，１２は、図６よりも基準面１３側（立体表示空間における奥側）に移動するとともに、図６よりも縮小し、かつ表示部１０の端部に向かって移動している。
【００６９】
図８において、アナログメータ１１，１２は、基準面１３と同じ位置まで移動するとともに、図７よりも縮小し、かつ表示部１０の端部に向かって移動している。また、表示部１０の中央部（アナログメータ１１とアナログメータ１２との間）には、情報画像１４が表示される。
【００７０】
なお、図８において、情報画像１４は、基準面１３よりも手前側に表示してもよい。また、アナログメータ１１，１２は消去してもよく、このとき情報画像１４は表示部１０の表示領域全面に表示することができる。
【００７１】
また、中間表示形態の終了後の表示形態である第２の表示形態では、表示部１０には図８と同様の表示を行っているものとする。
【００７２】
上記の図５〜８に示す動作（中間表示形態）において、全体制御部４は、アナログメータ１１，１２を立体表示空間における手前側から奥側の端部に向かって縮小しながら移動させ、アナログメータ１１，１２が予め定められた位置（基準面１３）に到達したときに情報画像１４を奥側に表示させるように計測描画オブジェクト生成部２および情報画像生成部３を制御する。このような動作を行うことによって、アナログメータ１１，１２を表示する第１の表示形態から、アナログメータ１１，１２および情報画像１４を表示する第２の表示形態に表示形態を変更する際の視認性を向上させることが可能となる。
【００７３】
なお、図５〜８に示す例において、第２の表示形態から第１の表示形態に表示形態を変更する場合は、上記と逆の順（図８〜５の順）で処理を行えばよい。
【００７４】
次に、上記（図５〜８）以外の中間表示形態の変形例（変形例１〜５）について説明する。なお、変形例１〜５では、第１の表示形態から第２の表示形態に表示形態を変更する場合の中間表示形態について説明する。
【００７５】
＜変形例１＞
図９〜１２は、中間表示形態における表示部１０の表示の一例を時系列で示した図である。なお、図９（ａ），図１０（ａ），図１１（ａ），図１２（ａ）は、表示部１０を正面から見た場合を示している。また、図９（ｂ），図１０（ｂ），図１１（ｂ），図１２（ｂ）は、表示部１０の表示を立体表示空間における横方向から見た場合を示している。すなわち、図９（ｂ），図１０（ｂ），図１１（ｂ），図１２（ｂ）において、図の上側は表示部１０を見ているユーザ側を示し、図の下方向は立体表示空間における奥行きを示している。また、表示部１０は裸眼立体表示を行うものとする。
【００７６】
図９において、中間表示形態の処理が開始されると、表示部１０には、基準面１３から距離Ｚ１だけ離れた位置にアナログメータ１１，１２が表示される。
【００７７】
なお、中間表示形態の開始前の表示形態である第１の表示形態では、表示部１０には図９と同様の表示を行っているものとする。
【００７８】
図１０において、アナログメータ１１，１２は、図９よりも基準面１３側（立体表示空間における奥側）に移動するとともに、図９よりも縮小し、かつ表示部１０の端部に向かって移動している。
【００７９】
図１１において、アナログメータ１１，１２は、図１０よりも基準面１３側（立体表示空間における奥側）に移動するとともに、図１０よりも縮小し、かつ表示部１０の端部に向かって移動している。
【００８０】
図１２において、アナログメータ１１，１２は、基準面１３と同じ位置まで移動するとともに、図１１よりも縮小し、かつ表示部１０の端部に向かって移動している。
【００８１】
また、表示部１０の中央部（アナログメータ１１とアナログメータ１２との間）には、情報画像１４が基準面１３から距離Ｚｍだけ離れた位置に表示される。このとき、情報画像１４は、奥側から手前側に向かって移動しているが、移動を開始するタイミングは図９〜１２のいずれであってもよい。ここで、距離Ｚｍとは、中間表示形態における、基準面１３と情報画像１４との仮想的な距離を示している。
【００８２】
なお、図１２において、アナログメータ１１，１２は消去してもよく、このとき情報画像１４は表示部１０の表示領域全面に表示することができる。
【００８３】
また、中間表示形態の終了後の表示形態である第２の表示形態では、表示部１０には図１２と同様の表示を行っているものとする。
【００８４】
上記の図９〜１２に示す動作（中間表示形態）において、全体制御部４は、アナログメータ１１，１２を立体表示空間における手前側から奥側の端部に向かって縮小しながら移動させるとともに、情報画像１４を奥側から手前側に移動させるように計測描画オブジェクト生成部２および情報画像生成部３を制御する。このような動作を行うことによって、アナログメータ１１，１２を表示する第１の表示形態から、アナログメータ１１，１２および情報画像１４を表示する第２の表示形態に表示形態を変更する際の視認性を向上させることが可能となる。
【００８５】
また、上記に示す動作において、情報画像１４に対してぼかし処理を行ってもよい。
【００８６】
図１３〜１６は、情報画像１４に対してぼかし処理を行った場合の一例を示している。図１３〜１６において、アナログメータ１１，１２の動きについては図９〜１２と同様であるため、ここでは主に情報画像１４に対するぼかし処理について説明する。
【００８７】
なお、図１３（ａ），図１４（ａ），図１５（ａ），図１６（ａ）は、表示部１０を正面から見た場合を示している。また、図１３（ｂ），図１４（ｂ），図１５（ｂ），図１６（ｂ）は、表示部１０の表示を立体表示空間における斜め方向から見た場合を示している。すなわち、図１３（ｂ），図１４（ｂ），図１５（ｂ），図１６（ｂ）において、図の上側は表示部１０を見ているユーザ側を示し、図の下方向は立体表示空間における奥行きを示している。
【００８８】
図１３は、図９と同様の状態であり、情報画像１４が表示されていない。
【００８９】
なお、中間表示形態の開始前の表示形態である第１の表示形態では、表示部１０には図１３と同様の表示を行っているものとする。
【００９０】
図１４において、基準面１３の位置に情報画像１４が表示される。このとき、情報画像１４には、強いぼかし処理が行われる。ぼかし処理を行う際のぼかしの程度（ぼかしの強弱）は全体制御部４で決定され、情報画像生成部３は全体制御部４の指示に従ってぼかし処理を行う。なお、情報画像１４は、デジタルメータを含むものとする。
【００９１】
図１５において、情報画像１４は、図１４よりも手前側に移動している。このとき、情報画像１４には、図１４よりも弱いぼかし処理が行われる。
【００９２】
なお、図１５（ｂ）の破線で示される平行四辺形は、前の段階（ここでは図１４）における情報画像１４の位置（すなわち、基準面１３と同じ位置）を示している（以下、同様）。
【００９３】
図１６において、情報画像１４は、図１５のアナログメータ１１，１２と同じ位置まで移動している。このとき、情報画像１４には、ぼかし処理が行われていない。
【００９４】
なお、図１４〜１６では、情報画像１４が表示部１０の表示領域全面に表示される場合について説明したが、これに限るものではなく、情報画像１４を任意の大きさで表示するようにしてもよい。
【００９５】
また、中間表示形態の終了後の表示形態である第２の表示形態では、表示部１０には図１６と同様の表示を行っているものとする。
【００９６】
上記の図１３〜１６に示す動作（中間表示形態）において、全体制御部４は、情報画像１４の移動に応じて情報画像１４のぼかしを弱くするように情報画像生成部３を制御する。このような動作を行うことによって、アナログメータ１１，１２を表示する第１の表示形態から、情報画像１４を表示する第２の表示形態に表示形態を変更する際の視認性を、図９〜１２に示す動作を行う場合よりも向上させることが可能となる。
【００９７】
なお、変形例１において、第２の表示形態から第１の表示形態に表示形態を変更する場合は、上記と逆の順（図１２〜９の順、あるいは図１６〜１３の順）で処理を行えばよい。
【００９８】
＜変形例２＞
図１７〜２０は、中間表示形態における表示部１０の表示の一例を時系列で示した図である。なお、図１７（ａ），図１８（ａ），図１９（ａ），図２０（ａ）は、表示部１０を正面から見た場合を示している。また、図１７（ｂ），図１８（ｂ），図１９（ｂ），図２０（ｂ）は、表示部１０の表示を立体表示空間における横方向から見た場合を示している。すなわち、図１７（ｂ），図１８（ｂ），図１９（ｂ），図２０（ｂ）において、図の上側は表示部１０を見ているユーザ側を示し、図の下方向は立体表示空間における奥行きを示している。また、表示部１０は裸眼立体表示を行うものとする。
【００９９】
図１７において、中間表示形態の処理が開始されると、表示部１０には、基準面１３から距離Ｚ１だけ離れた位置にアナログメータ１１，１２が表示される。
【０１００】
また、アナログメータ１２と同じ位置にデジタルメータ１５が表示される。
【０１０１】
なお、中間表示形態の開始前の表示形態である第１の表示形態では、表示部１０には図１７におけるアナログメータ１１，１２のみの表示を行っているものとする。
【０１０２】
図１８において、アナログメータ１１，１２は、図１７よりも基準面１３側（立体表示空間における奥側）に移動している。このとき、デジタルメータ１５は移動しない（図１７と同じ位置）。
【０１０３】
図１９において、アナログメータ１１，１２は、基準面１３と同じ位置まで移動している。このとき、デジタルメータ１５は移動しない（図１７と同じ位置）。
【０１０４】
図２０において、アナログメータ１１，１２は消去される。
【０１０５】
また、基準面１３と同じ位置に情報画像１４が表示される。
【０１０６】
なお、図２０において、情報画像１４は、基準面１３よりも手前側に表示してもよい。
【０１０７】
また、中間表示形態の終了後の表示形態である第２の表示形態では、表示部１０には図２０と同様の表示を行っているものとする。
【０１０８】
上記の図１７〜２０に示す動作（中間表示形態）において、全体制御部４は、立体表示空間における手前側に位置するアナログメータ１１と同じ位置にデジタルメータ１５を表示させた後、アナログメータ１１，１２を手前側から奥側に向かって移動させ、アナログメータ１１，１２が予め定められた位置（基準面１３）に到達したときに、アナログメータ１１，１２を消去するとともに、情報画像１４を奥側に表示させるように計測描画オブジェクト生成部２および情報画像生成部３を制御する。このような動作を行うことによって、アナログメータ１１，１２を表示する第１の表示形態から、デジタルメータ１５および情報画像１４を表示する第２の表示形態に表示形態を変更する際の視認性を向上させることが可能となる。
【０１０９】
また、上記に示す動作において、アナログメータ１１，１２に対してぼかし処理を行ってもよい。
【０１１０】
図２１〜２４は、アナログメータ１１，１２に対してぼかし処理を行った場合の一例を示している。図２１〜２４において、アナログメータ１１，１２、デジタルメータ１５、および情報画像１４の動きについては図１７〜２０と同様であるため、ここでは主にアナログメータ１１，１２に対するぼかし処理について説明する。
【０１１１】
なお、図２１（ａ），図２２（ａ），図２３（ａ），図２４（ａ）は、表示部１０を正面から見た場合を示している。また、図２１（ｂ），図２２（ｂ），図２３（ｂ），図２４（ｂ）は、表示部１０の表示を立体表示空間における斜め方向から見た場合を示している。すなわち、図２１（ｂ），図２２（ｂ），図２３（ｂ），図２４（ｂ）において、図の上側は表示部１０を見ているユーザ側を示し、図の下方向は立体表示空間における奥行きを示している。
【０１１２】
図２１は、図１７と同様の状態であり、アナログメータ１１，１２には、ぼかし処理が行われていない。
【０１１３】
なお、中間表示形態の開始前の表示形態である第１の表示形態では、表示部１０には図２１におけるアナログメータ１１，１２のみの表示を行っているものとする。
【０１１４】
図２２において、アナログメータ１１，１２は、図２１よりも奥側に移動するとともに、弱いぼかし処理が行われる。なお、ぼかし処理については、変形例１と同様である。
【０１１５】
図２３において、アナログメータ１１，１２は、図２２よりも奥側に移動するとともに、図２２よりも強いぼかし処理が行われる。
【０１１６】
図２４において、アナログメータ１１，１２は消去される。また、基準面１３と同じ位置に情報画像１４が表示される。
【０１１７】
なお、中間表示形態の終了後の表示形態である第２の表示形態では、表示部１０には図２４と同様の表示を行っているものとする。
【０１１８】
上記の図２１〜２４に示す動作（中間表示形態）において、全体制御部４は、アナログメータ１１，１２の移動に応じてアナログメータ１１，１２のぼかしを強くするように計測描画オブジェクト生成部２を制御する。このような動作を行うことによって、アナログメータ１１，１２を表示する第１の表示形態から、デジタルメータ１５および情報画像１４を表示する第２の表示形態に表示形態を変更する際の視認性を、図１７〜２０に示す動作を行う場合よりも向上させることが可能となる。
【０１１９】
なお、変形例２において、第２の表示形態から第１の表示形態に表示形態を変更する場合は、上記と逆の順（図２０〜１７の順、あるいは図２４〜２１の順）で処理を行えばよい。
【０１２０】
＜変形例３＞
図２５〜２８は、中間表示形態における表示部１０の表示の一例を時系列で示した図である。なお、図２５（ａ），図２６（ａ），図２７（ａ），図２８（ａ）は、表示部１０を正面から見た場合を示している。また、図２５（ｂ），図２６（ｂ），図２７（ｂ），図２８（ｂ）は、表示部１０の表示を立体表示空間における横方向から見た場合を示している。すなわち、図２５（ｂ），図２６（ｂ），図２７（ｂ），図２８（ｂ）において、図の上側は表示部１０を見ているユーザ側を示し、図の上下方向は立体表示空間における奥行きを示している。また、表示部１０は裸眼立体表示を行うものとする。
【０１２１】
図２５において、中間表示形態の処理が開始されると、表示部１０には、基準面１３から距離Ｚ１だけ離れた位置にアナログメータ１１，１２が表示される。
【０１２２】
なお、中間表示形態の開始前の表示形態である第１の表示形態では、表示部１０には図２５と同様の表示を行っているものとする。
【０１２３】
図２６において、アナログメータ１１，１２は、基準面１３と同じ位置まで移動している。
【０１２４】
図２７において、アナログメータ１１，１２は消去される。
【０１２５】
また、基準面１３と同じ位置に情報画像１４およびデジタルメータ１５が表示される。
【０１２６】
図２８において、デジタルメータ１５は、基準面から距離Ｚ１だけ離れた位置に移動している。このとき、情報画像１４は移動しない（図２７と同じ位置）。
【０１２７】
なお、図２８において、情報画像１４は、基準面１３よりも手前側に表示してもよい。
【０１２８】
また、中間表示形態の終了後の表示形態である第２の表示形態では、表示部１０には図２８と同様の表示を行っているものとする。
【０１２９】
上記の図２５〜２８に示す動作（中間表示形態）において、全体制御部４は、アナログメータ１１，１２を立体表示空間における手前側から奥側に向かって移動させ、アナログメータ１１，１２が予め定められた位置（基準面１３）に到達したときに、アナログメータ１１，１２を消去するとともにデジタルメータ１５および情報画像１４を奥側に表示させた後、デジタルメータ１５を手前側に向かって移動させるように計測描画オブジェクト生成部２および情報画像生成部３を制御する。このような動作を行うことによって、アナログメータ１１，１２を表示する第１の表示形態から、デジタルメータ１５および情報画像１４を表示する第２の表示形態に表示形態を変更する際の視認性を向上させることが可能となる。
【０１３０】
また、上記に示す動作において、アナログメータ１１，１２、デジタルメータ１５、および情報画像１４に対してぼかし処理を行ってもよい。
【０１３１】
図２９〜３２は、アナログメータ１１，１２およびデジタルメータ１５に対してぼかし処理を行った場合の一例を示している。図２９〜３２において、アナログメータ１１，１２、デジタルメータ１５、および情報画像１４の動きについては図２５〜２８と同様であるため、ここでは主にアナログメータ１１，１２およびデジタルメータ１５に対するぼかし処理について説明する。
【０１３２】
なお、図２９（ａ），図３０（ａ），図３１（ａ），図３２（ａ）は、表示部１０を正面から見た場合を示している。また、図２９（ｂ），図３０（ｂ），図３１（ｂ），図３２（ｂ）は、表示部１０の表示を立体表示空間における斜め方向から見た場合を示している。すなわち、図２９（ｂ），図３０（ｂ），図３１（ｂ），図３２（ｂ）において、図の上側は表示部１０を見ているユーザ側を示し、図の下方向は立体表示空間における奥行きを示している。
【０１３３】
図２９は、図２５と同様の状態であり、アナログメータ１１，１２には、ぼかし処理を行わない。
【０１３４】
なお、中間表示形態の開始前の表示形態である第１の表示形態では、表示部１０には図２９と同様の表示を行っているものとする。
【０１３５】
図３０において、アナログメータ１１，１２は、距離Ｚ１だけ奥側に向かって移動するとともに、ぼかし処理が行われる。なお、ぼかし処理については、変形例１と同様である。なお、ぼかしの程度は任意である。
【０１３６】
図３１において、アナログメータ１１，１２は消去される。
【０１３７】
また、基準面１３と同じ位置に情報画像１４およびデジタルメータ１５が表示されるとともに、デジタルメータ１５に対してぼかし処理が行われる。なお、ぼかしの程度は任意である。このとき、情報画像１４には、ぼかし処理が行われない。
【０１３８】
図３２において、デジタルメータ１５は、距離Ｚ１だけ手前側に向かって移動するとともに、図３１よりも弱いぼかし処理が行われる。なお、デジタルメータ１５に対してぼかし処理を行わなくてもよい。このとき、情報画像１４は移動しない（図３１と同じ位置）。
【０１３９】
なお、中間表示形態の終了後の表示形態である第２の表示形態では、表示部１０には図３２と同様の表示を行っているものとする。
【０１４０】
上記の図２９〜３２に示す動作（中間表示形態）において、全体制御部４は、アナログメータ１１，１２の移動に応じてアナログメータ１１，１２のぼかしを強くするように、かつデジタルメータ１５の移動に応じてデジタルメータ１５のぼかしを弱くするように計測描画オブジェクト生成部２を制御する。このような動作を行うことによって、アナログメータ１１，１２を表示する第１の表示形態から、デジタルメータ１５および情報画像１４を表示する第２の表示形態に表示形態を変更する際の視認性を、図２５〜２８に示す動作を行う場合よりも向上させることが可能となる。
【０１４１】
なお、変形例３において、第２の表示形態から第１の表示形態に表示形態を変更する場合は、上記と逆の順（図２８〜２５の順、あるいは図３２〜２９の順）で処理を行えばよい。
【０１４２】
＜変形例４＞
上記の図５〜８、および変形例１〜３は、表示部１０が裸眼立体表示を行う場合について説明した。しかし、表示部１０が平面表示を行う場合にも、上記の図５〜８、および変形例１〜３に示すような中間表示形態を表示することが可能である。
【０１４３】
本変形例４では、変形例３に示すような中間表示形態を、平面表示を行う表示部１０に適用した場合を一例として説明する。
【０１４４】
図３３〜３６は、中間表示形態における表示部１０の表示の一例を時系列で示した図である。なお、図３３〜３６は、表示部１０を正面から見た場合を示している。
【０１４５】
図３３において、中間表示形態の処理が開始されると、表示部１０には、アナログメータ１１，１２が立体的に表示される。このとき表示されるアナログメータ１１，１２は、表示部１０が裸眼立体表示を行う場合のような立体表示空間で表現されるのではなく、擬似的な立体表示空間（擬似立体表示空間）で表現される。
【０１４６】
ここで、擬似立体表示とは、２次元画面上における表示の工夫をしたものであり、あたかも奥行きがあるように見えるように、擬似的に立体表示することをいう。例えば、対象となる画像に影をつける等の方法がある。
【０１４７】
なお、中間表示形態の開始前の表示形態である第１の表示形態では、表示部１０には図３３と同様の表示を行っているものとする。
【０１４８】
図３４において、アナログメータ１１，１２が平面的に表示される。すなわち、アナログメータ１１，１２の奥行きは、図３３よりも擬似的に低くなる。
【０１４９】
図３５において、アナログメータ１１，１２は消去される。
【０１５０】
また、情報画像１４およびデジタルメータ１５は平面的に表示される。
【０１５１】
図３６において、デジタルメータ１５が立体的に表示される。すなわち、デジタルメータ１５の奥行きは、図３５よりも擬似的に高くなる。
【０１５２】
なお、上記では図３３〜３６の順に変化する場合について説明したが、これに限るものではない。例えば、図３４〜３６の順、図３３〜３５の順、図３４，３３，３６，３５の順などでもよい。
【０１５３】
なお、中間表示形態の終了後の表示形態である第２の表示形態では、表示部１０には図３６と同様の表示を行っているものとする。
【０１５４】
上記の図３３〜３６に示す動作（中間表示形態）を行うことによって、アナログメータ１１，１２を表示する第１の表示形態から、デジタルメータ１５および情報画像１４を表示する第２の表示形態に表示形態を変更する際の視認性を向上させることが可能となる。
【０１５５】
なお、変形例４において、第２の表示形態から第１の表示形態に表示形態を変更する場合は、上記と逆の順（例えば、図３６〜３３の順）で処理を行えばよい。
【０１５６】
＜変形例５＞
高速道路の走行時など自車両が高速で走行している場合において、ユーザである運転者は遠方を注視した状態（遠方視状態）で運転することが多い。一方、速度計などを見る場合において、運転者は近方を注視した状態（近方視状態）となる。従って、例えば、運転者が高速で走行中に速度計を見る場合において、視点を移動させるとともに焦点（ピント）を合わせる（遠方視状態から近方視状態にする）必要がある。焦点の調整機能は、一般的に高年齢になるに従って低下するといわれており、焦点を合わせやすいように（視点を移動させたときの焦点の差が少なくなるように）速度計を表示することが効果的である。
【０１５７】
本変形例５では、自車両の速度に応じて、焦点を合わせやすいようにアナログメータ１１，１２を表示する場合について説明する。
【０１５８】
図３７，３８は、中間表示形態における表示部１０の表示の一例を示した図である。なお、図３７，３８は、表示部１０の表示を立体表示空間における横方向から見た場合を示している。すなわち、図３７，３８において、図の上側は表示部１０を見ているユーザ側を示し、図の下方向は立体表示空間における奥行きを示している。また、表示部１０は裸眼立体表示を行うものとする。
【０１５９】
図３７は自車両が低速で走行している場合における表示を示し、図３８は自車両が高速で走行している場合における表示を示している。
【０１６０】
図３７に示すように、自車両が低速で走行している場合において、表示部１０には、基準面１３よりも手前側にアナログメータ１１，１２が表示される。このとき、ユーザ（運転者）は、アナログメータ１１，１２が近くに表示されているように感じる。すなわち、ユーザがアナログメータ１１，１２を見るときは、近方視状態となる。
【０１６１】
一方、図３８に示すように、車両が高速で走行している場合において、アナログメータ１１，１２は、基準面１３と同じ位置まで移動している。このとき、ユーザは、アナログメータ１１，１２が遠くに表示されているように感じる。すなわち、ユーザがアナログメータ１１，１２を見るときは、遠方視状態となる。
【０１６２】
なお、上記では、アナログメータ１１，１２を表示する場合について説明したが、これに限るものではなく、情報画像１４あるいはデジタルメータ１５を表示する場合についても適用可能である。
【０１６３】
上記では、表示部１０が裸眼立体表示を行う場合について説明したが、平面表示（擬似的な立体表示）を行う場合についても適用可能である。
【０１６４】
図３７に示す表示と、図３８に示す表示とを切り替える際の速度の閾値は、予め設定してもよく、ユーザが任意に設定してもよい。
【０１６５】
第１の表示形態および第２の表示形態は、図３７，３８のうちのいずれかと同様の表示を表示部１０に対して行っているものとする。
【０１６６】
上記の図３７，３８に示す動作（中間表示形態）において、全体制御部４は、計測情報に基づいて自車両の速度が速くなるに従って、アナログメータ１１，１２、デジタルメータ１５、および情報画像１４のうちの少なくとも１つを立体表示空間または擬似立体表示空間における手前側から奥側に向かって移動させるように計測描画オブジェクト生成部２および情報画像生成部３を制御する。このような動作を行うことによって、運転者が高速で走行中に速度計を見る場合において、焦点の差が少ない状態で素早く速度計を認識することが可能となる。すなわち、視認性を向上させることが可能となる。
【０１６７】
以上のことから、本実施の形態１によれば、中間表示形態において、第１の表示形態から第２の表示形態に表示形態が変更されていることを容易に把握することができる。すなわち、表示形態を変更する際の視認性を向上させることが可能となる。
【０１６８】
＜実施の形態２＞
本発明の実施の形態２では、アナログメータを表示する第１の表示形態と、デジタルメータおよび情報画像を表示する第２の表示形態とで焦点の位置が異なり、中間表示形態において第１の表示形態と第２の表示形態との間における遷移の様子を表示することを特徴としている。
【０１６９】
なお、表示制御装置１の構成は、実施の形態１の図２と同様であるため、ここでは説明を省略する。また、表示部１０は裸眼立体表示を行うメータパネルであり、アナログメータおよびデジタルメータは速度メータであるものとする。
【０１７０】
図３９〜４２は、中間表示形態における表示部１０の表示の一例を時系列で示した図である。なお、図３９（ａ），図４０（ａ），図４１（ａ），図４２（ａ）は、表示部１０を正面から見た場合を示している。また、図３９（ｂ），図４０（ｂ），図４１（ｂ），図４２（ｂ）は、表示部１０の表示を立体表示空間における斜め方向から見た場合を示している。すなわち、図３９（ｂ），図４０（ｂ），図４１（ｂ），図４２（ｂ）において、図の上側は表示部１０を見ているユーザ側を示し、図の下方向は立体表示空間における奥行きを示している。
【０１７１】
図３９（ｂ），図４０（ｂ），図４１（ｂ），図４２（ｂ）に示すように、立体表示空間において、アナログメータ１１，１２の位置と、情報画像１４およびデジタルメータ１５の位置との位置が異なっている。
【０１７２】
図３９において、中間表示形態の処理が開始されると、表示部１０には、アナログメータ１１，１２が表示される。このとき、アナログメータ１１，１２には、ぼかし処理を行わない。
【０１７３】
また、情報画像１４およびデジタルメータ１５には、ぼかし処理が行われている。
【０１７４】
なお、中間表示形態の開始前の表示形態である第１の表示形態では、表示部１０には図３９と同様の表示を行っているものとする。
【０１７５】
図３９の処理について、図３９（ｂ）を用いて概念的に説明する。
【０１７６】
図３９（ｂ）では、データ処理上の立体表示空間におけるアナログメータ１１，１２、情報画像、デジタルメータ１５、基準面１７の各々の位置を示しており、アナログメータ１１，１２と、デジタルメータ１５および情報画像１４とのデータ処理上立体表示空間における位置は異なる。すなわち、図３９（ｂ）は、データ処理を行うときの概念的な図である（図４０（ｂ）〜４２（ｂ）についても同様）。
【０１７７】
全体制御部４は、図３９（ｂ）に示すようなデータ処理上の立体表示空間において、予め定められた視点１６、視野角、および焦点距離に基づく基準面１７のデータ処理上の立体表示空間における奥行きを中間表示形態において変更し、基準面１７のデータ処理上の立体表示空間における位置に応じた視点１６から見た画像を生成するように計測描画オブジェクト生成部２および情報画像生成部３を制御する。なお、視野角および焦点距離は、ユーザが任意に設定してもよい。また、視点１６は、ユーザの視点に対応している。
【０１７８】
計測描画オブジェクト生成部２および情報画像生成部３にて生成された画像は、図３９（ａ）に示すように、表示部１０において２次元画面上で表示される。
【０１７９】
図３９（ｂ）に示すように、アナログメータ１１，１２は、基準面１７と立体表示空間における位置が同じであるため、焦点が合った状態で表示部１０に表示される。一方、情報画像１４およびデジタルメータ１５は、基準面１７と立体表示空間における位置が異なるため、焦点が合わない状態（ぼけた状態）で表示部１０に表示される。このように、基準面１７の位置は、焦点が合う位置である。
【０１８０】
図４０において、アナログメータ１１，１２は、図３９よりも拡大し、かつ表示部１０の端部に移動して一部が表示されるとともに、ぼかし処理が行われる。
【０１８１】
また、情報画像１４およびデジタルメータ１５には、図３９よりも弱いぼかし処理が行われる。
【０１８２】
図４０の処理について、図４０（ｂ）を用いて概念的に説明する。
【０１８３】
図４０（ｂ）に示すように、基準面１７は、図３９よりも情報画像１４およびデジタルメータ１５の位置に近づくように、立体表示空間における位置を変更している。
【０１８４】
その結果、アナログメータ１１，１２は、図３９よりも焦点が合わない状態（図３９よりも強くぼかした状態）で表示部１０に表示される。また、視点１６とアナログメータ１１，１２の位置との距離が図３９よりも近くなって視野が狭くなるため、アナログメータ１１，１２は、図３９よりも拡大し、かつ表示部１０の端部に表示される。
【０１８５】
一方、情報画像１４およびデジタルメータ１５は、図３９よりも焦点が合った状態（図３９よりも弱くぼかした状態）で表示部１０に表示される。
【０１８６】
図４１において、アナログメータ１１，１２は、図４０よりも拡大し、かつ表示部１０の端部に移動して一部が表示されるとともに、図４０よりも強いぼかし処理が行われる。
【０１８７】
また、情報画像１４およびデジタルメータ１５には、図４０よりも弱いぼかし処理が行われる。
【０１８８】
図４１の処理について、図４１（ｂ）を用いて概念的に説明する。
【０１８９】
図４１（ｂ）に示すように、基準面１７は、図４０よりも情報画像１４およびデジタルメータ１５の位置に近づくように、立体表示空間における位置を変更している。
【０１９０】
その結果、アナログメータ１１，１２は、図４０よりも焦点が合わない状態（図４０よりも強くぼかした状態）で表示部１０に表示される。また、視点１６とアナログメータ１１，１２の位置との距離が図４０よりも近くなって視野が狭くなるため、アナログメータ１１，１２は、図４０よりも拡大し、かつ表示部１０の端部に表示される。
【０１９１】
一方、情報画像１４およびデジタルメータ１５は、図４０よりも焦点が合った状態（図４０よりも弱くぼかした状態）で表示部１０に表示される。
【０１９２】
図４２において、アナログメータ１１，１２は、消去される。
【０１９３】
また、情報画像１４およびデジタルメータ１５には、ぼかし処理が行われていない。
【０１９４】
図４２の処理について、図４２（ｂ）を用いて概念的に説明する。
【０１９５】
図４２（ｂ）に示すように、基準面１７は、情報画像１４およびデジタルメータ１５の位置と同じになるように、立体表示空間における位置を変更している。
【０１９６】
その結果、視点１６の位置が、アナログメータ１１，１２の位置よりも情報画像１４およびデジタルメータ１５側となるため、視界からアナログメータ１１，１２が外れた状態（アナログメータ１１，１２が消えた状態）となる。
【０１９７】
一方、情報画像１４およびデジタルメータ１５は、基準面１７と立体表示空間における位置が同じであるため、焦点が合った状態で表示部１０に表示される。
【０１９８】
なお、図３９〜４１におけるぼかしの程度（ぼかしの強弱の程度）は、予め設定しておいてもよく、ユーザが任意に設定してもよい。
【０１９９】
デジタルメータ１５は、情報画像１４よりも手前側に表示してもよい。
【０２００】
中間表示形態の終了後の表示形態である第２の表示形態では、表示部１０には図３２と同様の表示を行っているものとする。
【０２０１】
第２の表示形態から第１の表示形態に表示形態を変更する場合は、上記と逆の順（図４２〜３９の順）で処理を行えばよい。
【０２０２】
上記の図３９〜４２に示す動作（中間表示形態）において、全体制御部４は、立体表示空間において、予め定められた視点、視野角、および焦点距離に基づく基準面１７の立体表示空間における奥行きを変更し、基準面１７とアナログメータ１１，１２との立体表示空間における位置が同じ場合はアナログメータ１１，１２に焦点を合わせ、基準面１７とデジタルメータ１５および情報画像１４との立体表示空間における位置が同じ場合はデジタルメータ１５および情報画像１４に焦点を合わせるように計測描画オブジェクト生成部２および情報画像生成部３を制御する。このような動作を行うことによって、アナログメータ１１，１２を表示する第１の表示形態から、デジタルメータ１５および情報画像１４を表示する第２の表示形態に表示形態を変更する際の視認性を向上させることが可能となる。
【０２０３】
以上のことから、本実施の形態２によれば、中間表示形態において、第１の表示形態から第２の表示形態に表示形態が変更されていることを容易に把握することができる。すなわち、表示形態を変更する際の視認性を向上させることが可能となる。
【０２０４】
＜実施の形態３＞
一般的に、運転者の視野は、自車両の速度が速くなるに応じて狭くなる。高速道路の走行時など自車両が高速で走行している場合において、ユーザである運転者は遠方を注視した状態（遠方視状態）で運転することが多い。一方、速度計などを見る場合において、運転者は近方を注視した状態（近方視状態）となる。例えば、運転者が高速で走行中に速度計を見る場合において、視点を移動させるとともに視野が大きく変化する。従って、遠方視状態から近方視状態に視点を移動させたときに、視野の変化が小さくなるように速度計を表示することが効果的である。
【０２０５】
本実施の形態３では、自車両の速度に応じて、視野の変化が小さくなるようにアナログメータ１１，１２を表示する場合について説明する。
【０２０６】
なお、表示制御装置１の構成は、実施の形態１の図２と同様であるため、ここでは説明を省略する。また、表示部１０は裸眼立体表示を行うメータパネルであり、アナログメータおよびデジタルメータは速度メータであるものとする。
【０２０７】
図４３〜４５は、中間表示形態における表示部１０の表示の一例を示す図である。なお、図４３（ａ），図４４（ａ），図４５（ａ）は、表示部１０を正面から見た場合を示している。また、図４３（ｂ），図４４（ｂ），図４５（ｂ）は、表示部１０の表示を立体表示空間における斜め方向から見た場合を示している。すなわち、図４３（ｂ），図４４（ｂ），図４５（ｂ）において、図の上側は表示部１０を見ているユーザ側を示し、図の下方向は立体表示空間における奥行きを示している。
【０２０８】
図４３は自車両が低速で走行している場合における表示を示し、図４４，４５は自車両が高速で走行している場合における表示を示している。
【０２０９】
図４３に示すように、自車両が低速で走行している場合において、アナログメータ１１，１２は、表示部１０の両端部に表示される。このとき、アナログメータ１１，１２を見るために必要な視野は、表示部１０の表示領域全面と同じ大きさである。
【０２１０】
一方、図４４に示すように、自車両が高速で走行している場合において、アナログメータ１１，１２は、表示部の中央に移動している。このとき、アナログメータ１１，１２を見るために必要な視野は、表示部１０の表示領域の一部（中央部）と同じ大きさである。
【０２１１】
また、自車両が高速で走行している場合の他の表示例として、図４５に示すように、アナログメータ１１，１２を表示部１０の中央部で一部が重なるようにしてもよい。このとき、アナログメータ１１，１２の視認性が損なわれないようにする必要がある。
【０２１２】
上記において、自車両の速度に対する視野の大きさ（視野角）は、ユーザが任意に設定してもよいが、速度と視野角との一般的な関係に基づいて予め設定してもよい。速度と視野角との一般的な関係としては、例えば、速度０ｋｍ／ｈの場合は視野角２００°、速度４０ｋｍ／ｈの場合は視野角１００°、速度７０ｋｍ／ｈの場合は視野角６５°速度１００ｋｍ／ｈの場合は視野角４０°速度１３０ｋｍ／ｈの場合は視野角３０°等が挙げられる。
【０２１３】
なお、図４３に示す表示と、図４４または図４５に示す表示とを切り替える際の速度の閾値は、予め設定してもよく、ユーザが任意に設定してもよい。
【０２１４】
図４５において、アナログメータ１１，１２の重ね具合、重ねる順序、あるいは重ねたときの立体表示空間における奥行き方向の位置関係は、予め設定してもよく、ユーザが任意に設定してもよい。また、表示部１０に表示する計測描画オブジェクト（図４５の例ではアナログメータ）を選択可能にしてもよく、例えばアナログメータ１２のみを表示部１０に表示させてもよい。このとき、どの計測描画オブジェクトを表示させるのかは、予め設定してもよく、ユーザが任意に設定してもよい。
【０２１５】
上記では、アナログメータ１１，１２を表示する場合について説明したが、これに限るものではなく、デジタルメータ１５を表示する場合についても適用可能である。
【０２１６】
上記では、表示部１０が裸眼立体表示を行う場合について説明したが、平面表示（擬似的な立体表示）を行う場合についても適用可能である。
【０２１７】
第１の表示形態および第２の表示形態は、図３７，３８のうちのいずれかと同様の表示を表示部１０に対して行っているものとする。
【０２１８】
上記の図４３〜４５に示す動作（中間表示形態）において、全体制御部４は、計測情報に基づいて自車両の速度が速くなるに従って、アナログメータ１１，１２またはデジタルメータ１５（計測描画オブジェクト）を表示領域の中央に寄せるか、または一部を重ねるように計測描画オブジェクト生成部２を制御する。このような動作を行うことによって、運転者が高速で走行中に速度計を見る場合において、視野の変化が小さい状態で素早く速度計を認識することが可能となる。
【０２１９】
以上のことから、本実施の形態３によれば、中間表示形態において、第１の表示形態から第２の表示形態に表示形態が変更されていることを容易に把握することができる。すなわち、表示形態を変更する際の視認性を向上させることが可能となる。
【０２２０】
以上で説明した表示制御装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置にも適用することができる。この場合、表示制御装置の各機能あるいは各構成要素は、上記システムを構築する各機能に分散して配置される。具体的には、表示制御装置の機能を携帯通信端末、ＰＮＤ、あるいはサーバに配置することができる。例えば、図４６に示すように、自車両側に表示装置１８を配置し、サーバ側に表示装置１８に画像を表示するように制御する表示制御装置１を配置することによって表示制御システムを構築することができる。サーバ側に配置される表示制御装置１は、少なくとも計測描画オブジェクト生成部２と、情報画像生成部３と、全体制御部４とを備えている。なお、計測描画オブジェクト生成部２、情報画像生成部３、および全体制御部４の機能は、図１の計測描画オブジェクト生成部２、情報画像生成部３、および全体制御部４の機能と同様である。また、サーバは、必要に応じて図２に示すような各構成要素を備えるようにしてもよい。
【０２２１】
上記の構成とした場合であっても、上記の実施の形態と同様の効果が得られる。
【０２２２】
また、上記の実施の形態における動作を実行するソフトウェア（表示制御方法）を、例えばサーバに組み込んでもよい。
【０２２３】
具体的には、上記の表示制御方法は、（ａ）自車両の走行に関する計測情報を示す第１の計測描画オブジェクトと、第１の計測描画オブジェクトと同一の計測情報であって、第１の計測描画オブジェクトとは異なる表現形式の第２の計測描画オブジェクトとを生成する工程と、（ｂ）計測情報以外の情報を示す情報画像を生成する工程と、（ｃ）第１の計測描画オブジェクトを表示する第１の表示形態と、第１の計測描画オブジェクト、第２の計測描画オブジェクト、および情報画像のうちの少なくとも１つを表示する第２の表示形態と、第１の表示形態と第２の表示形態との間における遷移中の形態である中間表示形態とのうちのいずれかの表示形態となるように工程（ａ）および工程（ｂ）を制御する工程とを備え、工程（ｃ）は、中間表示形態において、第１の計測描画オブジェクト、第２の計測描画オブジェクト、および情報画像のうちの少なくとも１つの立体表示空間または擬似立体表示空間における奥行きを変更するように工程（ａ）および工程（ｂ）を制御する。
【０２２４】
上記より、上記の実施の形態における動作を実行するソフトウェアをサーバに組み込んで動作させることによって、上記の実施の形態と同様の効果が得られる。
【０２２５】
なお、図１，２，４６において、計測描画オブジェクト生成部２、情報画像生成部３、全体制御部４、画像合成部５、表示信号出力部６、車両情報取得部７、および映像入力部８の各々は、ソフトウェアに基づくＣＰＵ（Central Processing Unit）を用いたプログラム処理を実行することによって実現される。また、可能であれば、計測描画オブジェクト生成部２、情報画像生成部３、全体制御部４、画像合成部５、表示信号出力部６、車両情報取得部７、および映像入力部８の各々を、ハードウェア（例えば、電気信号に対して特定の演算あるいは処理を行うように構成された演算／処理回路等）として構成するようにしてもよい。また、上記の両者を混在させてもよい。
【０２２６】
基準面１３の位置は、予め設定してもよく、ユーザが任意に設定してもよい。
【０２２７】
距離Ｚ１は、予め設定してもよく、ユーザが任意に設定してもよい。例えば、距離Ｚ１を正の値とした場合はより手前側に表示されるが見づらくなり、距離Ｚ１を負の値とした場合はより奥側に表示されるが見やすくなる。
【０２２８】
ぼかしの程度は、予め設定してもよく、ユーザが任意に設定してもよい。例えば、最も強いぼかし処理を行う場合は、ぼかし処理の対象が見えないようにしてもよい。
【０２２９】
視差の強弱である立体視強度を変更してもよい。立体視強度は、基準面１３および距離Ｚ１の相対的な位置関係を変えずに、基準面１３、距離Ｚ１、およびぼかしの程度の割合を変更することによって得られる。例えば、立体視強度が１の場合を基準値とすると、基準面１３、距離Ｚ１、およびぼかしの程度は設定値通りとなる。また、０＜立体視強度＜１の場合は、基準面１３、距離Ｚ１、およびぼかしの程度の設置値は全体的に小さくなり、立体感が弱くなる。また、１＜立体視強度の場合は、基準面１３、距離Ｚ１、およびぼかしの程度の設定値は全体的に大きくなり、より立体感が増す。
【０２３０】
中間表示形態において、変更後の表示形態（第１の表示形態または第２の表示形態）で表示するアナログメータ１１，１２、情報画像１４、あるいはデジタルメータ１５を強調表示してもよい。このようにすることによって、表示形態を変更する際の視認性を向上させることが可能となる。なお、強調表示は、中間表示形態の処理の開始時から徐々に弱めていき、変更後の表示形態になるのと同時に終了するようにしてもよい。
【０２３１】
また、強調表示の方法としては、例えば、アナログメータ１１，１２、またはデジタルメータ１５の枠のみを表示する、アナログメータ１１，１２、またはデジタルメータ１５の背景となる部分を塗りつぶして表示する、アナログメータ１１，１２、またはデジタルメータ１５の数字の縁取りを表示する、アナログメータ１１，１２、情報画像１４、あるいはデジタルメータ１５を点滅して表示する、アナログメータ１１，１２、情報画像１４、あるいはデジタルメータ１５の遷移の軌跡（残像）を表示する等が挙げられる。
【０２３２】
実施の形態では、情報画像生成部３に入力される情報として、カメラ１９によって撮影された映像に関する情報について説明したが、これに限るものではない。
【０２３３】
例えば、自車両の経路誘導に関する情報であってもよい。ここで、経路誘導に関する情報とは、自車両を現在地から目的地まで経路誘導するための情報（地図に関する情報を含む）のことをいう。表示部１０には、経路誘導に関する情報が表示される。なお、経路誘導に関する情報は、例えばカーナビゲーション部（図示せず）にて算出された後に情報画像生成部３に入力するようにしてもよい。このような場合であっても、表示形態を変更する際の視認性を向上させることができる。
【０２３４】
また、他の例として、自車両内イベントに関する情報であってもよい。ここで、自車両内イベントとは、例えば、警報表示（燃料の残量が僅かである旨の表示など）、あるいは電話の着信などが挙げられる。表示部１０には、警報に関する情報や、電話の着信に関する情報が表示される。なお、警報に関する情報は、例えば車両情報取得部７を介して情報画像生成部３に入力するようにしてもよく、電話の着信は、通信部（図示せず）を介して情報画像生成部３に入力するようにしてもよい。このような場合であっても、表示形態を変更する際の視認性を向上させることができる。
【０２３５】
また、上記以外の自車両内イベントとしては、例えばＤＶＤ（Digital Versatile Disk）などの再生機を再生したとき、スマートフォンの画面で表示されている情報を表示部１０に表示するとき、あるいは外部（例えば、道路交通情報センターや道路交通情報通信システム（ＶＩＣＳ（登録商標）））から道路交通情報などが配信されたときなどが挙げられる。このような場合であっても、上記と同様の効果が得られる。
【０２３６】
なお、本発明は、その発明の範囲内において、各実施の形態を自由に組み合わせたり、各実施の形態を適宜、変形、省略することが可能である。
【符号の説明】
【０２３７】
１  表示制御装置、２  計測描画オブジェクト生成部、３  情報画像生成部、４  全体制御部、５  画像合成部、６  表示信号出力部、７  車両情報取得部、８  映像入力部、９  操作入力部、１０  表示部、１１  アナログメータ、１２  アナログメータ、１３  基準面、１４  情報画像、１５  デジタルメータ、１６  視点、１７  基準面、１８  表示装置、１９  カメラ。
【図１】
2015161930.tif 000003
【図２】
2015161930.tif 000004
【図３】
2015161930.tif 000005
【図４】
2015161930.tif 000006
【図５】
2015161930.tif 000007
【図６】
2015161930.tif 000008
【図７】
2015161930.tif 000009
【図８】
2015161930.tif 000010
【図９】
2015161930.tif 000011
【図１０】
2015161930.tif 000012
【図１１】
2015161930.tif 000013
【図１２】
2015161930.tif 000014
【図１３】
2015161930.tif 000015
【図１６】
2015161930.tif 000016
【図１７】
2015161930.tif 000017
【図１８】
2015161930.tif 000018
【図１９】
2015161930.tif 000019
【図２０】
2015161930.tif 000020
【図２１】
2015161930.tif 000021
【図２４】
2015161930.tif 000022
【図２５】
2015161930.tif 000023
【図２６】
2015161930.tif 000024
【図２７】
2015161930.tif 000025
【図２８】
2015161930.tif 000026
【図２９】
2015161930.tif 000027
【図３２】
2015161930.tif 000028
【図３４】
2015161930.tif 000029
【図３５】
2015161930.tif 000030
【図３７】
2015161930.tif 000031
【図３８】
2015161930.tif 000032
【図４２】
2015161930.tif 000033
【図４６】
2015161930.tif 000034
【図１４】
2015161930.tif 000035
【図１５】
2015161930.tif 000036
【図２２】
2015161930.tif 000037
【図２３】
2015161930.tif 000038
【図３０】
2015161930.tif 000039
【図３１】
2015161930.tif 000040
【図３３】
2015161930.tif 000041
【図３６】
2015161930.tif 000042
【図３９】
2015161930.tif 000043
【図４０】
2015161930.tif 000044
【図４１】
2015161930.tif 000045
【図４３】
2015161930.tif 000046
【図４４】
2015161930.tif 000047
【図４５】
2015161930.tif 000048
【図４７】
2015161930.tif 000049